(57)【要約】【課題】確実かつ効率よく設備状態を監視することができる監視装置、及び監視方法を提供する。【解決手段】本発明にかかる監視装置は、複数の設備機器２が設けられている設備の監視装置であって、設備機器２からの計測データの履歴を記憶する計測データ記憶部と、設備機器２の計測データに応じて発生するアラームのアラーム情報をタイムスタンプ付きで記憶する履歴ＤＢ３４と、アラームに対応する関連画面の画面情報を記憶するアラーム管理ＤＢ３３と、指定されたアラームに対応する関連画面に表示された過去の計測データを時系列に沿った順番で更新していくアラーム管理エンジン３５であって、アラーム発生時を含む所定期間の計測データを規定の更新間隔で表示し、かつ所定期間の開始時刻まで計測データの表示を早送りするアラーム管理エンジンと、を備えるものである。【選択図】  図４
2010224893.tif 000002
【特許請求の範囲】
【請求項１】
複数の設備機器が設けられている設備の監視装置であって、
前記設備機器の計測データに応じて発生するアラームのアラーム情報をタイムスタンプ付きで記憶するアラーム情報記憶部と、
前記アラームに対応する関連画面の画面情報を記憶する画面情報記憶部と、
指定されたアラームに対応する前記関連画面に表示された過去の前記計測データを時系列に沿った順番で更新していくリプレイ実行部であって、前記アラーム発生時を含む所定期間の前記計測データを規定の更新間隔で表示し、かつ前記所定期間の開始時刻まで前記計測データの表示を早送りするリプレイ実行部と、を備える監視装置。
【請求項２】
時系列に沿った前記アラームの一覧を表示させ、
前記アラーム情報の一覧から指定されたアラームの発生時間を含むリプレイ時間を設定して、リプレイを実行することを特徴とする請求項１に記載の監視装置。
【請求項３】
前記アラームをフィルタリングして、前記一覧に表示させることを特徴とする請求項２に記載の監視装置。
【請求項４】
前記監視装置がサーバ−クライアント構成を有しており、
前記クライアントを操作するユーザのユーザ情報を取得して、
前記ユーザ情報を参照して、前記クライアントが停止していた停止期間に発生したアラームを順番にリプレイ再生することを特徴とする請求項１乃至４のいずれか１項に記載の監視装置。
【請求項５】
前記アラームが複数の設備機器からのアラームに応じて発生することを特徴とする請求項１乃至４のいずれか１項に記載の監視装置。
【請求項６】
複数の設備機器が設けられている設備の監視方法であって、
前記設備機器からの計測データの履歴を記憶するステップと、
前記設備機器の計測データに応じて発生するアラームのアラーム情報をタイムスタンプ付きで記憶するステップと、
指定されたアラームに対応する関連画面を表示させるステップと、
前記関連画面に表示された過去の前記計測データを時系列に沿った順番で更新していくリプレイステップであって、前記アラーム発生時を含む所定期間の前記計測データを規定の更新間隔で表示し、かつ、前記所定期間の開始時刻まで前記計測データの表示を早送りするリプレイステップと、を備える監視方法。
【請求項７】
時系列に沿った前記アラームの一覧を表示させ、
前記アラーム情報の一覧から指定されたアラームの発生時間を含むリプレイ時間を設定して、リプレイを実行することを特徴とする請求項６に記載の監方法。
【請求項８】
前記アラームをフィルタリングして、前記一覧に表示させることを特徴とする請求項７に記載の監視装置。
【請求項９】
サーバがクライアントのアクセスを承認するステップと、
前記クライアントを操作するユーザのユーザ情報を取得するステップと、
前記ユーザ情報を参照して、前記クライアントが停止していた停止期間に発生したアラームを順番にリプレイ再生するステップを、さらに備えることを特徴とする請求項６乃至８のいずれか１項に記載の監視方法。
【請求項１０】
前記アラームが複数の設備機器からのアラームに応じて発生することを特徴とする請求項６乃至９のいずれか１項に記載の監視方法。
【発明の詳細な説明】
【技術分野】
【０００１】
本発明は、設備の監視装置、及び監視方法に関し、特に詳しくは、設備機器からのデータに基づいて監視を行う監視装置，及び監視方法に関する。
【背景技術】
【０００２】
近年、プラントや建物などの設備に対する監視用途として、表示装置に設備の状態を表示させている。例えば、温度計、風量計、湿度計等の設備機器で計測されたデータを表示画面上に表示させる。具体的には、建物のレイアウトが表示された平面図上に、設備機器を示すアイコンや、設備機器で計測された計測データが表示される。
【０００３】
特許文献１には、マルチウィンドウ機能を有するプロセス監視用のウィンドウシステムが開示されている。このウィンドウシステムでは、複数のペインの時間を同期させている。また、各種のプロセスを監視するため、過去のプロセスデータの履歴やイベントの履歴を表示させている。
【０００４】
【特許文献１】特開２００６−３３８３４３号公報
【発明の概要】
【発明が解決しようとする課題】
【０００５】
過去に取得したプロセスデータをリプレイ表示することで、過去に発生したイベントの内容を詳細に解析することができる。例えば、一定期間のプロセスデータを時系列に沿って表示させていくことで、設備がどのような挙動を示したかを把握することができる。
【０００６】
リプレイを行った場合、過去のプロセスデータが規定の更新間隔で更新されて、表示される。この場合、設備機器からアラームなどが発生している重要期間の挙動を見落としてしまうおそれがある。すなわち、アラームが発生していない時も、アラームが発生している時と同様に、プロセスデータが更新されていくことになる。従って、リプレイを開始してから、アラームが発生した重要期間に到達するまでの時間が長くなってしまい、重要期間の挙動を見落としてしまうおそれがある。このように、従来の監視装置では、アラーム等が発生している重要期間を見落としてしまい、設備の監視を確実に行うことができないという問題点がある。この場合、アラーム発生原因などの解析を適切に行うことができなくなってしまう。
【０００７】
本発明は、このような問題点を解決するためになされたもので、確実に監視を行うことができる監視装置及び監視方法を提供することを目的とする。
【課題を解決するための手段】
【０００８】
本発明の第１の態様にかかる監視装置は、複数の設備機器が設けられている設備の監視装置であって、前記設備機器の計測データに応じて発生するアラームのアラーム情報をタイムスタンプ付きで記憶するアラーム情報記憶部と、前記アラームに対応する関連画面の画面情報を記憶する画面情報記憶部と、指定されたアラームに対応する前記関連画面に表示された過去の前記計測データを時系列に沿った順番で更新していくリプレイ実行部であって、前記アラーム発生時を含む所定期間の前記計測データを規定の更新間隔で表示し、かつ前記所定期間の開始時刻まで前記計測データの表示を早送りするリプレイ実行部と、を備えるものである。これにより、アラームと関連する画面が表示されるため、確実に監視することができる。
【０００９】
本発明の第２の態様にかかる監視装置は、上記の監視装置であって、時系列に沿った前記アラームの一覧を表示させ、前記アラーム情報の一覧から指定されたアラームの発生時間を含むリプレイ時間を設定して、リプレイを実行することを特徴とするものである。これにより、簡便に注目したアラームをリプレイ再生することができ、アラームの発生要因の解析を効率よく行うことができる。
【００１０】
本発明の第３の態様にかかる監視装置は、上記の監視装置であって、前記アラームをフィルタリングして、前記一覧に表示させることを特徴とするものである。これにより、簡便に注目したアラームをリプレイ再生することができる。
【００１１】
本発明の第４の態様にかかる監視装置は、上記の監視装置であって、前記監視装置がサーバ−クライアント構成を有しており、前記クライアントを操作するユーザのユーザ情報を取得して、前記ユーザ情報を参照して、前記クライアントが停止していた停止期間に発生したアラームを順番にリプレイ再生することを特徴とするものである。これにより、ユーザに応じて適切な監視を行うことができる。
【００１２】
本発明の第５の態様にかかる監視装置は、上記の監視装置であって、前記アラームが複数の設備機器からのアラームに応じて発生することを特徴とするものである。これにより、より確実に監視することができる。
【００１３】
本発明の第６の態様にかかる監視方法は、上記の監視方法であって、複数の設備機器が設けられている設備の監視方法であって、前記設備機器からの計測データの履歴を記憶するステップと、前記設備機器の計測データに応じて発生するアラームのアラーム情報をタイムスタンプ付きで記憶するステップと、指定されたアラームに対応する関連画面を表示させるステップと、前記関連画面に表示された過去の前記計測データを時系列に沿った順番で更新していくリプレイステップであって、前記アラーム発生時を含む所定期間の前記計測データを規定の更新間隔で表示し、かつ、前記所定期間の開始時刻まで前記計測データの表示を早送りするリプレイステップと、を備えるものである。
【００１４】
本発明の第７の態様にかかる監視方法は、上記の監視方法であって、時系列に沿った前記アラームの一覧を表示させ、前記アラーム情報の一覧から指定されたアラームの発生時間を含むリプレイ時間を設定して、リプレイを実行することを特徴とするものである。これにより、簡便に注目したアラームをリプレイ再生することができ、アラームの発生要因の解析を効率よく行うことができる。
【００１５】
本発明の第８の態様にかかる監視方法は、上記の監視方法であって、前記アラームをフィルタリングして、前記アラームの一覧に表示させることを特徴とするものである。これにより、簡便に注目したアラームをリプレイ再生することができる。
【００１６】
本発明の第９の態様にかかる監視方法は、上記の監視方法であって、サーバがクライアントのアクセスを承認するステップと、前記クライアントを操作するユーザのユーザ情報を取得するステップと、前記ユーザ情報を参照して、前記クライアントが停止していた停止期間に発生したアラームを順番にリプレイ再生するステップを、さらに備えることを特徴とするものである。これにより、ユーザに応じて適切な監視を行うことができる。
【００１７】
本発明の第１０の態様にかかる監視方法は、上記の監視方法であって、前記アラームが複数の設備機器からのアラームに応じて発生することを特徴とするものである。これにより、より確実に監視することができる。
【発明の効果】
【００１８】
本発明によれば、確実かつ効率よく設備状態の監視を行うことができる監視装置及び監視方法を提供することができる。
【図面の簡単な説明】
【００１９】
【図１】本実施の形態にかかる監視システムの全体構成を示す図である。
【図２】本実施の形態にかかる監視システムにおける監視画面を示す図である
【図３】監視画面においてリプレイを実行するリプレイ実行画面を示す図である。
【図４】本実施の形態にかかる監視システムに用いられるサーバの構成を示す図である。
【図５】履歴ＤＢに格納されたアラーム情報の一例を示す表である。
【図６】管理サーバＤＢに格納されたアラーム情報の一例を示す表である。
【図７】アラーム管理ＤＢに格納された計測データの履歴の一例を示す表である。
【発明を実施するための最良の形態】
【００２０】
以下に、本発明を適用した具体的な実施の形態について、図面を参照しながら詳細に説明する。図１は、設備監視システムの全体構成を模式的に示す図である。
【００２１】
設備監視システムは、例えば、プラントやビルディングなどの設備において、設備を監視するものである。設備監視システムには、例えば、複数の設備機器２が設けられている。設備機器２は、屋内や屋外の所定の位置に配置されていたフィールド機器である。設備機器２としては、空調器、ヒータ、加湿器、風量計、温度計、熱量計、電力計、流量計、コンプレッサ、バルブなどが挙げられる。そして、設備機器２は、建物設備内の温度、風量、湿度、流量などをモニタしている。すなわち、設備機器２は、各地点における温度、風量、湿度、消費熱量、消費電力などを計測している。設備機器２は、これらの計測データを所定の時間間隔で取得している。例えば、１分毎、あるいは１秒毎に計測データを取得することができる。このように、各設備機器２において、計測データの時間変化が取得される。
【００２２】
そして、設備機器２で計測された計測データは、サーバ１に転送される。そして、サーバ１は、転送された計測データを記憶する。ここで、ネットワークを介して設備機器２とサーバ１とを接続して、設備機器２からの計測データを逐次、送信してもよい。あるいは、設備機器２で一定期間、計測データを蓄積して、その蓄積された計測データをまとめて、送信してもよい。この場合、一定期間の計測データを含むデータファイルが、サーバ１に転送される。さらには、計測データを外部メモリや記憶ディスクなどの記憶媒体に保存して、その記憶媒体の計測データをサーバ１が読み出してもよい。この場合、設備機器２とサーバ１がネットワークを介して接続されていなくてもよい。もちろん、これらを組み合わせて、計測データをサーバ１に転送してもよい。サーバ１は、計測データをタイムスタンプ付きで格納される。サーバ１はパーソナルコンピュータなどの情報処理装置である。このサーバ１が設備の管理、監視を行う。
【００２３】
さらには、サーバ１には、設備機器２からのアラーム情報が転送される。そして、サーバ１はアラーム情報を格納する。例えば、アラームが発生した時間、アラームが発生した箇所、アラームが発生した設備機器２のＩＤ、アラームの種別などを対応付けて記憶する。このように、アラーム情報や、計測データはタイムスタンプ付きの履歴として格納される。すなわち、時系列に沿った履歴として、アラーム情報、及び計測データが格納される。
【００２４】
さらに、サーバ１には、ネットワーク等を介してクライアント３が接続されている。すなわち、監視装置がサーバ１−クライアント３構成を有している。クライアント３は、ＰＣなどの情報処理装置であり、入力部４と表示部５と処理部６とが設けられている。例えば、ユーザが入力部４によってユーザ名やパスワードなどを入力する。これにより、クライアント３がサーバ１とアクセスされ、サーバ１内のデータを参照可能になる。そして、そのデータに基づいて、処理部６が処理を行う。そして、処理部６での処理結果が表示部２に表示される。なお、図１では、１つのクライアントが接続されている例が示されているが、接続されるクライアント３の数はこれに限られるものではない。複数のクライアント３が同時にサーバ１に接続してもよい。さらに、サーバ１やクライアント３は、物理的に単一な装置に限られるものではない。また、ユーザにはその役職やポジションに応じて、ユーザレベル（ユーザの権限レベル）が設定されている。
【００２５】
処理部６は、ＭＰＵ等、及び演算に必要なデータやプログラムを記憶する記憶手段を有しており、様々な演算処理を行う。入力部４は、マウスやキーボードなどの入力手段を有している。そして、ユーザが入力部４を操作することで各種データが入力される。表示部５にはＣＲＴや液晶ディスプレイ等の表示装置を有している。表示部５は、表示画面のウィンドウ上に処理結果等を表示する。また、表示部５は、設備管理を行うための監視画面を表示する。
【００２６】
次に、表示部５に表示される監視画面について、図２を用いて説明する。図２は、監視画面の監視画面を模式的に示す図である。監視画面１０は、例えば、ディスプレイ上に表示されたウィンドウであり、監視画面１０には、レイアウト画面１１、プラント階層画面１２、トレンド画面１３、リプレイ実行画面１４。アラーム一覧画面１５を含んでいる。もちろん、これらは、異なるウィンドウとして表示されていてもよい。
【００２７】
レイアウト画面１１には、設備の全体又は一部のレイアウトが表示される。すなわち、レイアウト画面１１中には、設備機器２に対応するアイコン１８が表示されている。アイコン１８は、設備のレイアウトに応じた配置で表示されている。レイアウト画面１１には、例えば、配管、タンク、バルブ、コンプレッサなどのアイコン１８が、設備のレイアウトに応じて配置されている。従って、設備の一部を示す平面図がレイアウト画面１１上に表示される。さらに、設備機器２によって取得されたデータが、その設備のアイコン１８に対応付けて表示される。すなわち、設備機器２のアイコン１８近傍に、その設備機器２で計測された計測データ（プロセスデータ）が表示される。これにより、設備の状態を速やかに把握することができる。
【００２８】
プラント階層画面１２には、設備全体を区分したブロックがツリー状に表示されている。これにより、現在、レイアウト画面１１に表示されているレイアウトが、設備全体のどの部分に対応するか把握することができる。このツリーから、監視したいブロックを指定することも可能である。ユーザが監視したブロックを指定することで、レイアウト画面１１が変更される。
【００２９】
トレンド画面１３は、設備機器２で計測した計測データのトレンドが表示されている。例えば、ある設備機器２に着目した場合、その設備機器２で取得した温度データや流量データなどの計測データが表示される。ここでは、計測データの時間変化のグラフが表示されている。ユーザが監視したいトレンドデータを指定してもよい。
【００３０】
リプレイ実行画面１４は、リプレイ表示を実行するための画面である。リプレイ実行画面１４については、後述する。アラーム一覧画面１５は、アラームの一覧が表示されている。アラームは、１又は複数の設備機器２から送信される計測データに応じて発生する。例えば、１つの設備機器２で測定したデータが閾値を越えた場合、その設備機器２からアラームが出力される。サーバ１は、そのアラームをアラームとして受信する。そして、サーバ１は、アラームを発生時間にかかるタイムスタンプ付きで記憶する。これにより、アラームのデータベースが構成される。アラーム一覧画面１５には、アラームとその発生時間が表示される。もちろん、アラーム一覧画面１５に表示するアラームに対して、フィルタを設けてもよい。例えば、時間、設備機器２のＩＤ，設備情報などで、フィルタリングしてもよい。さらには、設備全体の中での領域や、ユーザレベル、ユーザＩＤなどのユーザ情報に応じてフィルタリングしてもよい。このようなアラーム一覧画面１５を汎用ジャーナルパーツとして利用することで、利便性を向上することができる。
【００３１】
サーバ１に格納されるアラーム情報には、アラームの発生時間だけでなく、アラームの情報などが付加されている。例えば、アラームを発生した設備機器２のＩＤや名称、あるいは、アラーム種別などがアラーム情報として付加されている。
【００３２】
また、アラームは１つのアラームや１つの設備機器２だけに対応するものではなく、２以上のアラームや設備機器２に対応していてもよい。例えば、２つ以上の設備機器２が同時にアラームを発生している状態を１つのアラームとしてもよい。このようなアラームの条件式が予めユーザによって設定されている。このように、アラームを複合的に設定することで、より適切に監視することができる。そして、アラーム一覧画面１５には、アラームの一覧が表示されている。ここでは、アラームが発生時間順に配列された一覧表が表示されている。これにより、アラームが発生したことを適切に把握することができる。
【００３３】
なお、アラームは、アラームの発生に限らず、アラームの復帰、確認などに応じて発生させるようにしてもよい。すなわち、アラームとは、ユーザに報知すべき事象によって決定される。換言すると、ユーザに報知すべき事象がアラームとして登録されている。このようなアラームの履歴を記録するため、監視ポイントという概念を導入する。監視ポイントには、監視したい箇所に配置された設備機器２の情報を登録している。監視ポイントに、複数の設備機器２が登録されていてもよい。この場合、例えば、複数の設備機器２のアラームが同時に発生した時に、ある一つのアラームが発生するとしてもよい。すなわち、複数のアラームのアンド（ＡＮＤ）を取ることで、アラームが発生する。もちろん、アラームの条件式は、アンド（ＡＮＤ）に限らず、オア（ＯＲ）であってもよく、さらには、アンド（ＡＮＤ）とオア（ＯＲ）を組み合わせた条件式を用いてもよい。このような、監視ポイントをユーザが予め登録しておくことで、注視したい箇所を確実に監視することができる。
【００３４】
次に、リプレイ実行画面１４について図３を用いて説明する。図３は、リプレイ実行画面１４を示す図である。リプレイ実行画面１４には、トラックバー２１が表示される。トラックバー２１は、リプレイを行うリプレイ期間に対応している。例えば、リプレイの開始時間２３と終了時間２８が入力されると、その間の期間がトラックバーに対応する時間となる。さらに、現在リプレイ表示を行っている時点を示すカーソル２７が、トラックバー２１上に配置されている。このカーソル２７を移動することで、再生する時間を決定することができる。
【００３５】
リプレイ期間の開始時間２３と終了時間２８が、リプレイ実行画面１４に表示されている。この開始時間２３と終了時間２８がトラックバー２１の始点（左端）と終点（右端）に対応する。従って、図３では、２００９年２月２日  １７：２５：３２からの１時間がリプレイ期間になっている。そして、トラックバー２１は、この１時間に対応している。もちろん、リプレイ期間は１時間に限られるものではない。
【００３６】
さらに、トラックバー２１上には、アラーム発生箇所２２が表示されている。アラーム発生箇所２２は、リプレイ期間中におけるアラームの発生時間に対応する位置になっている。ここでは、１７時２５分３２秒から１時間の間に、３つのアラームが発生したことを認識することができる。このように、アラーム発生箇所２２をトラックバー２１上に表示することで、アラームが発生した時間を容易に把握することができる。
【００３７】
さらに、リプレイ実行画面１４には、再生ボタン２５と、巻き戻しボタン２６が表示されている。再生ボタン２５を押すとリプレイが実行される。すなわち、マウスなどを用いて、表示画面上のポインタを再生ボタン２５上に合わせる。マウスの左ボタンで再生ボタン２５をクリックすると、リプレイが実行される。同様に、巻き戻しボタン２６をクリックすると巻き戻されていく。もちろん、これ以外に、一時停止ボタンや、早送りボタンがあってもよい。
【００３８】
次に、リプレイの実行について説明する。リプレイを実行すると、そのリプレイ期間の状況が再生される。例えば、図２で示した監視画面１０において、リプレイ期間のプロセスデータ等が更新されていく。すなわち、計測データの履歴を参照して、表示画面上に、計測データを順番に表示していく。例えば、図２で示したレイアウト画面１１に、計測データが表示されていく。また、計測データの更新間隔２４がリプレイ実行画面１４に表示されている。すなわち、リプレイを実行すると、計測データがこの規定間隔で更新されていく。さらに、リプレイ実行画面１４には、更新間隔２４を設定するための枠が含まれている。ここでは、１秒毎に、計測データが更新されていく。もちろん、ユーザが更新間隔２４を変更してもよい。
【００３９】
さらに、本実施の形態では、リプレイ期間において、アラームの発生時間に着目して、計測データを再生していく。例えば、１時間のトラックバー２１が設定されており、計測データの計測周期が１秒であり、更新間隔が１秒であるとすると、全てのリプレイを行うためには、３６００秒必要となる。しかしながら、ユーザが着目したい時点は、通常、アラームの発生時間とその前後である。従って、本実施の形態では、アラームの発生時間を含む再生キー時間を設定する。ここでは、アラーム発生時間の前後５秒が再生キー時間として設定される。すなわち、１つのアラームに対するリプレイが１０秒で実行される。
【００４０】
例えば、アラームが１７時４５分１０秒に発生したとすると、再生キー時間の始点は１７時４５分５秒となり、終点は１７時４５分１５秒となる。このように再生キー時間が１０秒に設定される。監視画面１０では、この間に取得された計測データが１秒間隔で更新される。もちろん、再生キー時間は１０秒に限られるものではない。
【００４１】
再生キー時間以外の時間は、リプレイを早送りする。例えば、各再生キー時間の間では、計測データの表示をスキップする。具体的には、３つのアラームが発生している場合、リプレイ期間の開始時間（１７：２５：３２）から１つ目の再生キー時間の始点までと、１つ目の再生キー時間の終点から２つ目の再生キー時間の始点までと、２つ目の再生キー時間の終点から３つ目の再生キー時間の始点までと、３つ目の再生キー時間の終点からリプレイ期間の終了時間（１８：２５：３２）までにおいて、リプレイが早送りされる。もちろん、早送りする期間は、計測データを間引いて表示するようにしてもよい。例えば、再生キー時間では、計測データを複数個おきに表示するようにしてもよい。このように、アラーム以外の時間は、リプレイを早送りする。これにより、再生時間を短縮することができる。さらに、アラームに着目して、設備の状態を監視することができる。アラームの発生要因の解析を効率よく行うことができる。よって、確実に監視することができ、微小な挙動の変化を認識することができる。もちろん、このリプレイ機能は、従来の、通し再生、一時停止、先頭へ移動、最後へ移動などの機能に加えて実行することができる。
【００４２】
さらに、ユーザがアラームを指定することで、リプレイ期間を設定する。例えば、アラーム一覧画面１５の中から１つのアラームを選択する。このアラームを中心として、リプレイ期間を設定してもよい。例えば、リプレイ期間を１時間とする場合、選択されたアラームの発生時間の前後３０分が、リプレイ期間に設定される。具体的には、ユーザがマウスなどを操作して、監視画面１０アラーム一覧画面１５の中から、１つのアラーム上にポインタを置く。そして、この状態で右クリックすることによって、アラームを指定する。このように、アラームを指定することで、リプレイ期間を設定することができる。これにより、着目したアラームの前後に発生するアラームと、それらのアラーム発生時間近辺における設備の挙動を分析することができる。さらに、２以上のアラームを指定して、リプレイ期間を設定してもよい。この場合、全てのアラームが含まれるリプレイ期間が設定される。
【００４３】
このように、アラーム一覧画面１５をソースとして、リプレイ実行画面を読み出すことができる。もちろん、アラームの履歴を格納した履歴データベースから直接アラームを指定してもよい。さらには、リプレイ実行画面１４中において、開始時間２３と終了時間２８を直接入力してもよい。アラーム一覧画面１５以外を参照してアラームを参照してもよい。
【００４４】
アラーム一覧画面１５等において、アラームの検索機能を設けてもよい。そして、検索されたアラームの一覧の中からアラームを指定して、リプレイ表示してもよい。また、リプレイ実行中において、アラームが発生したパーツを識別することができるように、表示してもよい。例えば、アラームの原因となっている設備機器２のアイコン１８の色を変える。これにより、アラームの原因となっている設備機器２を容易に認識することができる。よって、アラームの発生要因の解析を効率よく行うことができる。また、アラーム一覧画面１５において、現在再生されているアラームをフォーカスしてもよい。例えば、現在再生中のアラームの行を他の行と異なる色に変更する。リプレイを中断し、リプレイ画面、又はアラーム一覧画面上の行をクリックすることで、対象アラーム時刻への切換を行ってもよい。
【００４５】
さらに、リプレイ再生中のアラーム毎に表示画面を切換えるようにする。あるアラームの再生キー時間において、レイアウト画面１１を、そのアラームに関連する画面に切換える。この関連画面には、アラームの発生原因となる設備機器２が含まれている。例えば、図３で示した３つのアラームが異なるアラームであったとする。この場合、アラームに応じて、レイアウト画面１１を切換える。すなわち、実際の発生しているアラームに関連するレイアウト画面１１を表示する。そのためには、アラームに関係が深いレイアウト画面を予め関連画面として設定しておく。そして、このレイアウト画面１１中において、計測データを更新する。このようにアラーム毎に関連画面を対応付けておくこと、リプレイ時において、アラームに関連する設備機器２の異常を容易に解析することができる。
【００４６】
このような、アラームと関連画面の対応付けを、ユーザやユーザレベル等のユーザ情報に応じて設定してもよい。すなわち、ユーザやユーザレベルが異なる場合、同じアラームが発生した場合でも、異なるレイアウト画面１１が表示されるようになる。このようにすることで、ユーザに応じた解析ができるようになる。よって、より確実に監視することができ、利便性を向上することができる。また、ユーザが表示するレイアウト画面１１を切換えるようにしてもよい。
【００４７】
例えば、予め、ユーザＩＤ毎或いはユーザレベル毎に、アラームとそれに関連するレイアウト画面１１の設定を行っておく。すなわち、ユーザ情報に応じて予め関連画面を設定しておく。ユーザがクライアントを操作して、サーバ１にログインする場合、ログイン時にユーザ名、ユーザＩＤ、ユーザレベルなどのユーザ情報をサーバ１が取得する。これにより、アラームに対する関連画面をユーザ情報毎に表示することができる。これにより、ユーザに応じた適切な監視を行うことができる。
【００４８】
さらに、ユーザがアラームを閲覧したか否かを把握するため、未閲覧か既閲覧かを示す閲覧情報をアラーム一覧画面１５に追加してもよい。このような、閲覧情報も、ユーザ毎、あるいはユーザレベル毎に設定してもよい。これにより、既に閲覧したアラームを把握することができる。
【００４９】
例えば、ユーザがクライアント３を操作して、サーバ１にログインしたとする。この場合、アラーム一覧画面１５には、ユーザがログオフしていた時に発生したアラームの一覧が表示される。もちろん、ログオフ時に発生したアラームは、未閲覧状態になっている。そして、クライアント３がユーザに対して未閲覧のアラームを確認させる。例えば、自動的にリプレイを実行して、各アラームにかかる関連画面を再生する。これにより、ユーザが始業時に最初に行う確認作業として定型化する。また、確認作業を行う場合、アラームをフィルタリングしてもよい。
【００５０】
もちろん、確認作業を行なう場合でも、アラーム毎に一時停止などすることも可能である。すなわち、１つ前や次のアラームへの切換えも要求することができる。このように、ユーザ毎に未閲覧か既閲覧を示す閲覧情報を付加することで、利便性を向上することができる。もちろん、ユーザ毎にではなく、ユーザレベル毎に閲覧情報を設定してもよい。
【００５１】
次に、サーバ１の構成について、図４を用いて説明する。図４は、サーバ１の構成を模式的に示すブロック図である。サーバ１は、管理サーバエンジン３１、管理サーバＤＢ（データベース）３２、アラーム管理ＤＢ３３、履歴ＤＢ３４、及びアラーム管理エンジン３５を有している。各エンジンは、プロセッサの演算処理装置を有しており、各種の演算処理を行う。各ＤＢ（データベース）は、メモリや記憶媒体などの記憶手段を有しており、各種データを格納する。
【００５２】
管理サーバエンジン３１は、管理サーバＤＢ３２を用いて、クライアント３や設備機器２を管理する。例えば、管理サーバＤＢ３２には、図５に示すようなデータが格納されている。すなわち、管理サーバＤＢ３２には、ユーザ名、ユーザＩＤ、パスワード、ユーザレベルが対応付けて記憶されている。そして、クライアント３において、ユーザがそのユーザＩＤやユーザ名をパスワードとともに入力すると、サーバ１がアクセスを承認する。これにより、クライアント３がサーバ１内のデータを参照可能になる。また、このとき、サーバ１はクライアントを操作するユーザのユーザＩＤ等を記憶する。このように管理サーバＤＢ３２には、ユーザに関する情報がＤＢとして格納されている。
【００５３】
アラーム管理エンジン３５は、アラーム管理ＤＢ３３と履歴ＤＢ３４を用いてアラームを管理する。すなわち、アラーム管理エンジン３５は、各種データを参照して、クライアント３やサーバ１の表示部に適切な監視画面１０を表示させる。すなわち、上記のように、アラーム管理エンジン３５はアラームまでの時間を早送して、リプレイを実行する。さらに、アラーム管理エンジン３５はアラームに関連するレイアウト画面１１を表示させる。すなわち、アラーム管理エンジンは、指定されたアラームに対応するレイアウト画面１１に表示された過去の計測データを時系列に沿った順番で更新していくリプレイ実行部である。そして、アラーム管理エンジン３５は、アラーム発生時を含む再生キー時間の計測データを規定の更新間隔で表示し、かつ、再生キー時間の開始時刻まで計測データの表示を早送りする。また、アラーム管理エンジン３５は、管理されているアラームの一覧やアラームの一覧を表示させる。もちろん、アラーム管理エンジン３５に検索機能を持たせてもよい。この場合、フィルタリングされたアラーム一覧が表示されることになる。
【００５４】
履歴ＤＢ３４には、アラームの履歴がデータベースとして格納されている。例えば、図６に示すように、発生した日付、時間、タグ名、アラーム種別が対応付けて格納されている。従って、履歴ＤＢ３４には、アラームが発生した時点が、そのアラームの履歴が追加される。なお、タグ名は、発生した設備機器２を示す識別子である。また、アラーム種別は、例えば、計測データが下限値か上限値のいずれを超えたかを示すものである。そして、アラームが時系列に沿った順番に蓄積されていく。履歴ＤＢ３４にアラームの発生履歴を蓄積する。すなわち、履歴ＤＢ３４には、アラームの履歴がタイムスタンプ付きで格納される。さらに、履歴ＤＢ３４には、計測データの履歴を蓄積する。すなわち、履歴ＤＢ３４には、各設備機器２からの計測データがタイムスタンプ付きで記録されている。
【００５５】
アラーム管理ＤＢ３３には、監視ポイントや関連画面に関する情報がデータベースとして格納されている。例えば、アラーム管理ＤＢ３３には、図７に示すように、ユーザレベルと監視ポイントＩＤと関連画面ＩＤが対応付けられている。監視ポイントは、設備機器２その他の設備において監視したい箇所を特定するものであり、アラームに対応するものである。すなわち、監視ポイントは、参照する設備機器２のタグ名、又はその条件式が記憶されている。これにより、各アラームを定義することができる。そして、監視ポイントに対して関連画面を対応付ける。関連画面は、上記の通り、監視画面１０中に表示されるレイアウト画面１１である。よって、アラームのリプレイを再生している間、そのアラームに対応するレイアウト画面１１が表示される。関連画面ＩＤ毎に異なるレイアウト画面が予め登録されている。
【００５６】
さらに、ユーザレベルが監視ポイントＩＤに対応付けられている。これにより、ユーザレベル毎に、異なるレイアウト画面１１が表示される。もちろん、２以上のユーザレベルに対して同じ関連画面を設定してもよい。なお、ユーザレベルではなく、ユーザＩＤに監視ポイントＩＤを対応付けてもよい。この場合、ユーザ毎に異なるレイアウト画面１１が表示される。さらに、アラーム管理ＤＢ３３や管理サーバＤＢ３２に対して、未閲覧又は既閲覧であることを示す閲覧情報を対応付けてもよい。これにより、そのユーザがまだ閲覧していないアラームか、既に閲覧したアラームかを判別することができる。アラームが未閲覧又は既閲覧かを示す閲覧情報を、アラームに対して対応付けて記憶しておく。さらに、閲覧情報がユーザに応じて設定する。これにより、より利便性を向上することができる。
【００５７】
このように、本実施の形態に係る監視方法は、複数の設備機器が設けられている設備の監視方法である。そして、監視方法は、設備機器２からの計測データの履歴を記憶するステップと、設備機器２の計測データに応じて発生するアラームのアラーム情報をタイムスタンプ付きで記憶するステップと、指定されたアラームに対応する関連画面（レイアウト画面１１）を表示させるステップと、関連画面に表示された過去の計測データを時系列に沿った順番で更新していくリプレイステップであって、アラーム発生時を含む所定期間のプロセスデータを規定の更新間隔で表示し、かつ、所定期間の開始時刻まで前記プロセスデータの表示を早送りするリプレイステップと、を備えている。これにより、確実に監視することができる。さらに、サーバ１がクライアント３のアクセスを承認するステップと、クライアント３を操作するユーザのユーザ情報を取得するステップと、ユーザ情報を参照して、クライアント３が停止していた停止期間に発生したアラームを順番にリプレイ再生するステップをさらに有していてもよい。これにより、簡便かつ確実に監視することができる。
【００５８】
なお、上記の説明では、監視装置がサーバ１−クライアント３構成であるとして説明した。例えば、クライアント３がＷｅｂブラウザであれば、サーバ１のアラーム管理エンジン３５がＷｅｂサーバとして、表示用ＨＴＭＬ相当のファイルを設定してクライアント３に送るが、あるいは別途Ｗｅｂサーバを設けてもよい。または、１つのコンピュータで監視装置を構成してもよい。例えば、サーバ１が、リプレイ再生を実行してもよい。さらには、２以上のサーバ１を用いて、監視装置を構成してもよい。
【符号の説明】
【００５９】
１  サーバ
２  設備機器
３  クライアント
４  入力部
５  表示部
６  処理部
１０  監視画面
１１  レイアウト画面
１２  プラント階層画面
１３  トレンド画面
１４  リプレイ実行画面
１５  アラーム一覧画面
１８  アイコン
２１  トラックバー
２３  アラーム発生時間
２３  リプレイ期間
２４  更新間隔
２５  再生ボタン
２６  巻き戻しボタン
３１  管理サーバエンジン
３２  管理サーバＤＢ
３３  アラーム管理ＤＢ
３４  履歴ＤＢ
３５  アラーム管理エンジン
【図１】
2010224893.tif 000003
【図２】
2010224893.tif 000004
【図３】
2010224893.tif 000005
【図４】
2010224893.tif 000006
【図５】
2010224893.tif 000007
【図６】
2010224893.tif 000008
【図７】
2010224893.tif 000009